【手続補正書】
【提出日】平成18年9月22日(2006.9.22)
【手続補正１】
【補正対象書類名】明細書
【補正対象項目名】全文
【補正方法】変更
【補正の内容】
【書類名】      明細書
【発明の名称】成熟固体物質の吸引乾溜ガス化燃焼装置
【特許請求の範囲】
【請求項１】
円形の堅型燃焼熱交換炉の基部位置で、燃焼室が一体に連結したまま分岐した斜傾炉部を有する燃焼熱交換装置の、堅型の基部連結部と斜傾部の内側は、耐熱、燃焼熱交換促進効率の優れた複数の遠赤外線等放射機能の優れた素材で構築され、外側を断熱材と鉄板で囲われている。
斜傾炉は頂部が長半円形で底部を平面の断面より成り、上部に素材供給口とバーナー口が設けられ、粗密な素材が自然に押し出し流下する傾斜度で有意の高さと長さをもって堅型炉に組み合わされ、底辺途中に素材がバウンドする素材分散装置が設けられ、それに対向する上部炉頂部には、底辺に対して斜め上向きに直列カーテン状高圧空気噴射管が複数設けられ、炉外の高圧送風装置に接続されている。
堅型基部炉上端に炉内径と同じ内径と有意の高さを有する縦形貫流パイプ並列型、或いは渦巻きパイプ型の熱交換貫流水管が重ねて設けられ、下端をカスケートポンプに接続され、上端は圧力弁を介して外部に接続されており、水管は周囲を基部炉壁と同じ資材で囲まれ上部熱交換炉を成す。
炉最上部は絞り込まれて煙突基部となり、強力な吸引機能を有する煙突を備えて炉内には強い負圧が働いている。
堅型基部炉上端位置付近中央から燃焼ガスの流れに斜めに対向し燃焼部位を包み込む火元方向に向けたラッパ形単列カーテン状の高圧空気噴射装置が設けられ、炉外の高圧送風機に接続されている。
堅型基部炉の底部は、斜傾炉底部の底辺を延長したロストル構造で、端近くで燃焼灰或いは炭化剤の落下口が開口され、落下した燃焼残物は常時水冷スクリューで外部にかき出され水で液化は又は冷却される。
燃焼ガスは斜傾炉上から基部を通り煙突へと流れる設定であるが、煙突の基部位置にベンチュリスクラバ機構が設けられて強力な負圧が働いているので、燃焼ガスとその流れに斜めに対向する複数のカーテン状高圧空気噴射による空気との対向衝突によって、つくり出される激しい燃焼反応層が形成されて電磁波バリヤ化し包み込まれた燃焼部位の高温化が進行する。これ等の機構によって素材には強力な吸引乾溜ガス化燃焼機能が働くので、▲１▼素材の供給と、▲２▼煙突における吸引力と、▲３▼燃焼空気の３要因を相関調整することによって固体状燃焼物質の質に応じて炭化か、完全灰化か、求める状態に燃焼を調整する機構の構造を有することを特徴とする成熟固体物質の吸引乾溜ガス化燃焼装置。
【請求項２】
請求項１記載の燃焼操作に当って、難燃性物質には、有意の水分と、定率の海洋性腐植物質と共に、マグネシウム含有物質或いは炭素剤の助燃物質を加えて供給することによって、目指す改質反応の効率を向上せしめる構成に成る構造を有することを特徴とする請求項１記載の成熟固体物質の吸引乾溜ガス化燃焼装置。
３．【発明の詳細な説明】
【発明の属する技術分野】
【０００１】
本発明は産業廃棄物に類する固体物質を焼却や、改質炭化剤等に再生する技術に関するものである。
【従来技術】
【０００２】
生産活動における副生物や、経済生活活動から出る副生物の中には、焼却燃焼して有効な熱に転換出来るのに、処理上の制約や技術的困難から活用されずに放置されている物が多い、社会環境上ゆるがせに出来ないことから多くの手段が考案されているが、大型装置でなければ制約条件をクリア出来ないとして、その活用が伸び悩んでおり、有効な活用処理技術の開発が必要とされている。
【発明が解決しようとする課題】
【０００３】
本発明者は、今の社会環境の中で、前項の技術的困難を克服するには何をなすべきか、鋭意検討して課題内容を整理し、
▲イ▼処理すべき産業廃棄物的資源である固体物質は、発火点温度が高く、自燃力が弱く、且つ粗密で量が多い、と云う特徴をふまえた上で、高温完全燃焼に到達し、その燃焼熱を有効な蒸気熱に転換する熱交換手段。
▲ロ▼前項の物質の特徴を考慮しながら、その物質に応じて完全灰化か、高温の燃焼炭化か等の燃焼結果を調整出来る手段。
▲ハ▼社会の求めるそれ等物質の燃焼経過は厳しい条件を課せられているのでそれを克服する手段。
と云う具体的技術目標を設定した。
【課題を解決するための手段】
【０００４】
本発明者等は燃焼手段の改良について既に出願（特許願平７−７７０６０号）し、それに準拠した平成１１年１月７日提出の特許願−成熟植物素材の炭化装置（特許願平１１−４０４７３）に基いて対象物質、手段を改良拡大して國内優先権出願するものである。
成熟固体物質とは例えば、成熟した植物体の様に木化現象つまり成熟してリグニン層の形成が完成した副生物、又は経済生活活動による完成された物質の廃棄副生物がある。前者は高温で炭化処理することによって更に付加価値を生み出せるが、後者にあっては厳しい条件のもとで高温燃焼で完全灰化する外ない。
いづれの固体物質も前項▲イ▼の特性から、乾溜→ガス化→炭化（炭素分子）→燃焼ガス（炭素原子）化→燃焼反応と云う燃焼工程が長いので、その対応手段として本願の炉を開発したものである。
【０００５】
新開発の炉は、堅型炉と基部において燃焼室が一体化された斜傾炉を備えたもので処理する物質に合わせて▲１▼素材の供給と、▲２▼煙突における吸引力と、▲３▼燃焼空気供給、の３要因を相関調整する機構を有し課題の解決に資するものである。
【０００６】
又、現今の社会環境は燃焼排ガスの質を最大重要視する厳しさに合わせて、遠赤外線の力を活用出来る炉体構造と燃焼空気供給方法の特徴機構を活かして、乾溜→ガス化→炭化（炭素分子）−燃焼ガス化（炭素原子）→燃焼反応と云う段階の条件を恣意的に変えて経過させる２段階的燃焼手段並びに助燃物質添加等により空気量を最小限に抑制しながらＮＯｘの発生を少なくすると共に、ダイオキシン等の悪性ガスの生成ゾーンや熱交換水管腐食ゾーンを越える高温完全燃焼に到達する。
【０００７】
更には海洋性腐植物質の添加は、当該物質が原素に近い状態で存在し、且つ構造式上不飽和で塩基置換性能が高いと云う特徴を有することから、高温雰囲気の中で昇華ガス化し燃焼ガスの浄化に貢献して積極的環境浄化を目指すと共に。
又助燃剤の添加のうち炭素剤のそれは、斜傾炉の機能が酸欠乾溜を目指す機構を活かして、素剤流層（床面層）において、乾溜還元反応へ積極的に誘導することによって廃棄物的資源の再生分野への対応を可能とする機能をもっている。
【実施例】
【０００８】
以下図面に基いて−実施例の装置構造と燃焼作用とその調整について述べる。
図１−は吸引乾溜ガス化燃焼装置の縦断側面図である。
１−堅型基部炉体であるが、上部に熱交換水管を接続する為横断図は円形である。
２−は上部熱交換炉体である。３−は斜傾炉体で燃焼室が基部炉体と一体化されており、乾溜段階を受け持つ炉で、素材の流れが平面的であることが望ましいので底面が平で側上部は偏長方半円形である。４−は１と２との炉体内面炉壁で、耐高熱性（耐１，５００℃）のキャスターやアルミナセメントと北海道産の鉱石シリカブラックと、火山溶岩礫等複数の鉱石で遠赤外線放射力の強い物質を混合して成型している。５−は複数の素材分散装置である。６−は素材供給口で，７−の素材供給装置が装架されている。８−はバーナー口で空気供給制御機構を備えており、９−のバーナーが着火当初装着されている。１０−は直列高圧空気噴射管で１３−の炉外高圧送風機に接続し、１１−はラッパ形単列の高圧空気噴射装置で１２−の炉外高圧送風機に接続されている。１０−２及び１１−２はそれぞれの空気膜で燃焼反応層となり電磁波バリヤ化する。１４−は熱交換貫流水管で２の炉体内に納まり、下部は１５−のカスケードポンプが連結され、上端は１６−の圧力弁を介して外部に蒸気を供給する。１７−は煙突基部で、１８−は煙突である。１９−はベンチュリスクラバ噴射口で、２０−の炉外高圧送風機に連結されている。２１−は炉底ロストルで、２１−２は燃焼部位となる。２２−は燃焼残留物溜りである。溜りには２３−の水冷の掻き出しスクリューが装着されている。
【０００９】
以上の構成に基いて
まず２０の高圧送風機が稼動すると１９のベンチュリスクラバが機能して炉内に強い負圧が生ずる。１７から有意の水分と素材が供給され、９のバーナーが着火されると、煙は基部へ下降した後１８の煙突に流れる。着火が安定したところで、まず１３暫くして１２の高圧送風機が稼動すると１０と１１から高圧空気が噴射され、１０−２と１１−２の燃焼反応層が形成され、炉内は急速に高温となり繊維質素材であればバーナーは外されて空気調節装置が操作され、素材が粗大（ＲＤＦの如き）であればバーナー着火は継続される。
素材は斜傾炉内で酸欠状を維持しつつ５の複数の素材分散装置でバウンドしながら、３の斜傾炉の底辺を流れながら乾溜ガス化段階を経過し、２１の炉底まで流下して、灰化か炭化物となって、２２の溜りに落下し、水で灰は液化されるか、炭化物は消火冷却される設定である。つけ加えると２１の炉低部置構造として、炭化の際は図の如くであるが高温を求めて灰化まで進む際はロストル構造が望ましく、更に吸引圧空気の供給も必要である。
４のそれぞれの炉壁は遠赤外線を反射し合い、１０−２と１１−２では激しい燃焼反応が起こり電磁波バリヤとなっていよいよ高温となり、相乗効果で高温となった熱線を照射された素材は３で乾溜ガス化が進み、２１に達した燃焼物は最も高温となり２１−２の燃焼部位から発する幅射熱線は１４の間隙をもたせた熱交換貫流水管に直照射或いは周囲炉壁から反射照射されて熱交換断面が大中に増大するので熱交換が進んで効率よく蒸気が発生し、１６の圧力弁を押し上げて外部に供給される。熱交換を終えた燃焼排ガスはベンチュリスクラバの空気で温度が下がり煙突から排出される。
【００１０】
改めて本発明装置機能をまとめてみると、
本願燃焼熱交換炉は、堅型基部炉と斜傾炉が燃焼室を一体化されており、強い負圧のもとで乾溜→ガス化→燃焼反応と云う長い工程をそれぞれの位置で十分に反応させる時間経過を与える為に開発したもので、特に斜傾炉では発熱源を主として気化ガスを燃焼せめる直火型に求めながら素材流層では高温酸欠状の燃焼雰囲気を長い工程でつくり出し維持して、有機質（セルロース）のガス化を完了させ蒸し焼き状態に炭化するという段階をつくり出し、最終の竪型炉底に原子化に限りなく近づいた炭素燃料として送り込まれ高率の放射熱線化して効率の高い熱交換機能を発現する。
【００１１】
その点で燃料に直接空気を吹きつけ供給する従来法の熱分解手段と技術思想が異なり例えばバイオマスやタイヤチップに前記燃焼法で対応すると環境汚染ガス発生にいたる虞れが多いが、本願の如く、乾溜ガス化段階を経過せしめると熱転換効率を大巾に向上しながら併せて環境負荷を軽減しつつ高率の利用出来る温湯等の熱源を得ることが出来る。
【００１２】
炉体内壁は燃焼促進効率の高い複数の遠赤外線放射機能素材が充分使用されており、燃焼物の供給と、煙突の吸引力と、燃焼空気の供給と云う３つの要因を相関調整しながら運転すると、それぞれ設定された機能が作動するが、それに加えて内壁炉材から効率の高い遠赤外線が放射反射し合い、対向流空気噴射によってつくり出される電磁波バリヤも高度の機能を発現し、包み込まれた炭化部或いは燃焼部は益々高温となり燃料素材はそれぞれの位置でそれ等熱線の相乗作用を受け有機質がガス化して炭化或いは燃え尽きる。その結果燃焼部位から、熱交換水管に直照射される放射幅射熱線は遠赤外線の力を借りて熱交換機能を高める。
【００１３】
特に斜傾炉ではそれ等が強い負圧のもとで進むので、燃焼反応は空気の吹出側で激しく、炉底面を流れる素材に熱線を照射する。炉の底辺にそって流れる素材の層と、気化ガスが燃えて電磁波を出しながら流れる層とは気体と固体の質量の差と、放射輻射熱線−電磁波には放射圧があると云う機能によって分離機能が作用し堅型の炉底部位置まで流下到達した素材は強力な電磁波バリヤに包み込んで完全に燃焼を終わらせる機構である。本願乾溜炭化燃焼法が燃焼空気の供給をコントロールされている機構のもとで、特に斜傾炉では噴射された高圧空気は乾溜気化された燃焼ガスと即反応するから、その酸素は噴射装置の近くで消費されてしまう。したがって素材層には酸素がとどかず、熱線照射によって乾溜ガス化が進むだけで気体と固体の上述の関係で結果的に素材流層は酸欠状態で推移流動し炉底位置で燃料としての役目を終える。
素材の質に合わせて供給量を少なくして炉内の滞留時間を長くすれば完全に灰化し、供給量を増やして流速を速くすれば有機質（セルロース等）がガス化してリグリン層が残っている状態で取り出せば活性炭構造の炭化材となる。熱交換の立場から見つけた新しい燃焼法の技術思想からなる本願技術特徴がその作用効果を出し得るのである。
補足すれば本願のルーツは、特願平成７−７７０６０の装置においてタイヤチップ燃焼にあたって、乾溜室を併設して排ガスが無臭となった事象から教えられたものである。
【００１４】
助燃剤添加の実施について、マグネシウム含有物質は燃焼加勢であるが、炭素剤のそれは機能が大きく拡大し気化して加熱源となるのみならず化学反応的改質に関与する。
例えばカキ殻の如き本来は自燃機能のない物質でも、助燃剤（炭素剤）との組合せに依って積極的に乾溜還元反応（化学反応的酸素収奪事象）に誘導すると、生石灰状のカオリンセラミックスとして生まれ変わり多様な利用分野が拓かれ、廃棄物質資源の再生産業の一つの進展につながるが如きで本願装置の利用範囲は広まる。
【発明の効果】
【００１５】
以上詳述した様に本発明装置は、処理する物質のもっている本質的特性をふまえて、放射熱線化する完全な熱転換と、放射伝熱パワー（燃焼温度＋２７３℃）４に比例する高率の熱交換を達成する技術である。
現今の社会環境の中にあって産廃的資源をエネルギー源（炭化剤）として再生することは大きな社会需要の一つである。特に成熟植物資源を効率よく炭化剤に改質するに本願による斜傾炉で乾溜還元（無酸素）雰囲気の中で有機物を気化して純度の高い炭素燃料とすることは、燃料として燃焼段階で解離エネルギーの吸熱部分を低減して熱転換の歩止まりを高める（総合エネルギー理論）ことになる、その段階を経て堅型熱交換燃焼炉で炎を放射熱線化する（対向流送風）手段により燃焼因子の完全結合反応による放射熱線パワーを高めることによって熱交換効率を飛躍的に高めると云う技術体系となる。
資源再生から発電まで目指した効率的熱交換まで一貫する本願装置の資源循環に貢献し得る分野は決して小さくない。
【００１６】
本願が燃焼と熱交換の段階で止めているが本発明者等による先願の特許願平１０年１２月１６日提出の環境浄化型廃油燃焼発電装置等との関連展望において、固体物質や重質油のもっている滞在的熱エネルギーを効率よく引き出し放射熱線パワーとも称される熱交換機能エネルギーに変換することによって、出発燃料と、発電までを視野に入れた高温蒸気化との到達水準差を飛躍的に高め得る技術装置を目指している。出発燃料としてはバイオマスは云うに及ばず、タイヤチップや石炭やＲＤＦ等々資源的には無尽蔵とも云えるし、出来た電力の需要に不安はなく、亦そこに至る設備製造にも困難はない。資源再生から発電に至る途上各段階で設備生産、雇用に貢献する分野は大である。
４．【図面の簡単な説明】
【図１】−は成熟固体物質の吸引乾溜ガス化検証装置の縦断側面図である。
【符号の説明】
１−は堅型基部炉体。２−は上部熱交換炉体。３−斜傾炉体。４−内装炉壁。
５−素材分散装置。６−素材供給口。７−素材供給装置。８−バーナー口で空気供給制御部。
９−バーナー。１０−直列高圧空気噴射装置。１１−ラッパ状単列高圧空気噴射装置。
１０−２及び１１−２は噴射空気膜。１２−高圧送風機。１３−高圧送風機。１４−熱交換水管。
１５−カスケートポンプ。１６−圧力弁。１７−煙突基部。１８−煙突。
１９−ベンチュリスクラバ噴射口。
２０−高圧送風機。２１−炉底ロストル部。２１−２−燃焼部位。２２−燃焼残物溜り。
２３−水冷スクリュー。